(57)【要約】【課題】取り扱いし難い小型商品を複数個収容して、１個ずつ扱いやすい状態で取り出すことができる商品包装体を提供する。【解決手段】複数のボタン形電池７それぞれに先端を貼着したタブ８を切取線２０を介して保持片９に連結した連結小型商品１０を、ＰＥＴシート材を加熱成形した包装体１１内に収容する。タブ８を切取線２０から切り離すと１個のボタン形電池７を取り出すことができ、タブ８を摘んで保持できるので、指先での取り扱いも困難なほど小型化されたボタン形電池７であっても、その扱いは容易となる。【選択図】　図１
2004099122.tif 000002
【特許請求の範囲】
【請求項１】
複数個の商品を複数のタブに着脱可能に保持した商品保持部材であって、前記タブは、それぞれの一端にて前記複数の商品を個々に保持し、他端にてタブを一体化する保持片に接続され、さらに切取線を介して前記保持片からタブ毎に分離可能であり、前記タブおよび保持片が、樹脂シート材を加熱成形して一体成形されてなることを特徴とする商品保持部材。
【請求項２】
複数個の商品を複数のタブに着脱可能に保持した商品保持部材を収容する商品包装体であって、前記タブは、それぞれの一端にて前記複数の商品を個々に保持し、他端にてタブを一体化する保持片に接続され、さらに切取線を介して前記保持片からタブ毎に分離可能であり、前記タブおよび保持片が、樹脂シート材を加熱成形にて一体成形したタブ形成面とされ、このタブ形成面が少なくとも前記商品を収容する蓋体面および本体面を具備する包装容器にて保持されてなることを特徴とする商品包装体。
【請求項３】
蓋体面、および本体面が、シート材から形成され、且つ折曲線を介して一体化されており、前記蓋体面と本体面との間にタブ形成面が配置される請求項２記載の商品包装体。
【請求項４】
シート材を折曲部位で折り曲げ、複数面を形成すると共に、所要面に商品収容凹部を形成して包装体が形成され、複数の商品それぞれに一端を着脱可能に貼着した複数のタブを他端で分離可能に連結した連結商品を前記商品収容凹部が形成された面に収容し、商品収容凹部が形成された面上に前記折曲部位で折り曲げた蓋体となる面を重ね合わせ、両面間が開閉可能に形成されてなることを特徴とする商品包装体。
【請求項５】
包装体に嵌合部が形成され、この嵌合部により蓋体となる面と商品収容凹部が形成された面とを嵌合接続し、開閉可能にしてなる請求項４記載の商品包装体。
【請求項６】
複数のタブが、切取線を介して分離可能に連結形成したタブ形成面を備え、このタブ形成面が包装体の所定面の端辺に折曲部位を介して延出形成され、折曲部位から所定面上に折り返されてなる請求項４記載の商品包装体。
【請求項７】
タブ形成面が複数に形成されてなる請求項６記載の商品包装体。
【請求項８】
前記折曲部位が、複数の折曲線からなるヒンジ部にて構成される請求項４〜７の何れかに記載の商品包装体。
【発明の詳細な説明】
【０００１】
【発明の属する技術分野】
本発明は、商品を販売又は携帯、保管の用に供するために複数個を１パッケージにするための商品保持部材及び商品包装体に関し、特に小型のボタン形電池などのように指先での扱いも困難なほどに小型化された商品の取り扱いを容易にすることを特徴とするものである。
【０００２】
【従来の技術】
小型商品の一例である小型のボタン形電池、或いはコイン形電池（本願では、以下、コイン形電池に表現を統一して説明する）は、耳孔式補聴器や腕時計用などの小型機器、また各種携帯機器の形状に対応させて小型化がなされており、その直径が８ｍｍを切るものが商品化されている。このような小型のボタン形電池は指先で摘むことさえ困難で、小型機器の電池収容部に装填することが困難となる。特に、視力や指先の動きが衰えた高齢者や障害者では、より取り扱いが困難である。
【０００３】
また、小型のボタン形電池は必然的に電池容量は小さく、電池切れに至った状態になると俄に不自由になることから、定期的な交換を必要とし、さらに速やかに交換できるように、複数個を１パッケージにして販売され、これを購入したユーザは携帯や保管の用に供する。携帯や保管の際に小型のボタン形電池は、電池単体にすると、小さいがために他の物品中に紛れ込んだり、紛失してしまうことが多い。さらに、電池単体の状態でボタン型電池を鞄や財布に収容し、携帯や保管等した場合には、電池が導電性を有する他の収容物と接触し、電池が短絡状態に陥る可能性もある。そこで、複数個のボタン型電池をパッケージのままで携帯又は保管し、必要に応じて１個のボタン形電池を取り出すように構成される。
【０００４】
例えば、図１０に示す包装体は、５個のボタン形電池を１パッケージにして、包装体１００を構成する台紙１０４と、台紙１０４上に配した複数のボタン形電池を個々にをカバーする凸部１０６を形成したカバー５とに、それぞれミシン目１０２、１０３が形成され、ミシン目１０２、１０３から切り離すことにより、１個ずつボタン形電池を取り出すことができるように構成されている（特許文献１参照）。
【０００５】
このようなミシン目から包装体を切り離して包装された複数の商品から１個ずつ取り出すことができる構造は、小型のボタン電池だけでなく薬の錠剤などにも類似の構造を見ることができるが、上記従来構造では、台紙１０４のミシン目１０２と、カバー５のミシン目１０３との形成位置にずれを設けることにより、輸送などの取り扱い中に包装体がミシン目から不用意に折れてしまうことを防止する機械的強度の向上が図られている。
【０００６】
【特許文献１】
特開２００２−１２２６３号公報（第３〜６頁、図１）
【０００７】
【発明が解決しようとする課題】
しかしながら、上記従来技術の構造は、複数の商品を包装した包装体の機械的強度を向上させ、商品を１個ずつ取り出すのに有効であるが、商品が小さくなればなるほど取り出した商品の扱いが困難であることを解決できない問題があった。例えば、小型商品が小型のボタン形電池であるとき、取り出したボタン形電池を機器に装填する作業が伴う。特に直径が８ｍｍを下回るようなボタン形電池になると、指先での扱いも困難となり、小型化された機器に装填する作業は困難であり、高齢者や障害者になると扱いが不可能になることさえ予想される。
【０００８】
また、商品を使用、交換する毎に、ミシン目から包装体を切り離し、収容された商品を取り出しており、商品の取り出し後に不要となった包装体の面でも問題を有していた。例えば、上記と同様に小型電池であるとき、電池の取り出し後に切り離された包装体は不要となり、廃棄される。使用者には、電池の交換と同時に廃棄物の処理を強いることになり、特に包装体を携帯した状態では、不要となった包装体を持ち帰る、或いは適切な廃棄箇所への廃棄等の処理が必要となり、使用者の負担が大きかった。さらには、包装体に使用される樹脂材料を回収し、リサイクルに有効に活用できないという問題も有していた。
【０００９】
本発明が目的とするところは、複数の商品、特にボタン型電池、薬剤等の小型商品の取り扱いを容易にすると共に、複数の商品を一体化してシート材で形成した包装体に収容し、携帯、保管性に優れ、且つ不要となった際の廃棄物を最少にしてパッケージするための商品保持部材及びこの商品保持部材を備えた商品包装体を提供することにある。
【００１０】
【課題を解決するための手段】
上記目的を達成するために本発明に係る商品保持部材は、複数個の商品を複数のタブに着脱可能に保持した商品保持部材であって、前記タブは、それぞれの一端にて前記複数の商品を個々に保持し、他端にてタブを一体化する保持片に接続され、さらに切取線を介して前記保持片からタブ毎に分離可能であり、前記タブおよび保持片が、樹脂シート材を加熱成形して一体成形されてなることを特徴とする。
【００１１】
このような分離可能なタブを備えた商品保持部材は、複数の商品は個々にタブに固定されており、さらに各タブを保持片にて一体化する構成としている。商品の使用時には保持片からタブを切り離すことで、タブの先端部に商品が固定された状態とされ、小型の商品であってもタブにより取り扱いが可能になり、使用者の使い勝手は大きく向上する。また、商品の保持部材が樹脂シート材を加熱成形（真空成形及び／又は圧空成形）にて形成しており、タブおよび保持片が一体成形可能なことから、商品保持部材の作成コストを大幅に低減することができる。
【００１２】
また、本発明に係る商品包装体は、複数個の商品を複数のタブに着脱可能に保持した商品保持部材を収容する商品包装体であって、前記タブは、それぞれの一端にて前記複数の商品を個々に保持し、他端にてタブを一体化する保持片に接続され、さらに切取線を介して前記保持片からタブ毎に分離可能であり、前記タブおよび保持片が、樹脂シート材を加熱成形にて一体成形したタブ形成面とされ、このタブ形成面が少なくとも前記商品を収容する蓋体面および本体面を具備する包装容器にて保持されることを特徴とする。
【００１３】
この構成によれば、上述した商品保持部材を備えた包装容器を得られ、使用者の利便性が向上する効果が得られる。
【００１４】
また、上記の商品包装体において、蓋体面、および本体面が、シート材から形成され、且つ折曲線を介して一体化されており、前記蓋体面と本体面との間にタブ形成面が配置される。この構成では、商品保持部材と蓋体面、本体面が一体形成されることから、一層のコスト削減効果を得ることができる。また、包装容器の各構成面が同一種の樹脂材料で形成されることから、廃棄時に容器、タブに分別した廃棄を必要とせず、リサイクル性に優れた商品包装体を提供でき、環境への寄与度が大なるものである。
【００１５】
更に、本発明に係る商品包装体は、シート材を折曲部位で折り曲げ、複数面を形成すると共に、所要面に商品収容凹部を形成して包装体が形成され、複数の商品それぞれに一端を着脱可能に貼着した複数のタブを他端で分離可能に連結した連結商品を前記商品収容凹部が形成された面に収容し、商品収容凹部が形成された面上に前記折曲部位で折り曲げた蓋体となる面を重ね合わせ、両面間が開閉可能に形成されてなることを特徴とする。
【００１６】
尚、本構成では、商品保持部材に商品が配置された形態としており、商品保持部材とこれに配置された複数の商品とを総称して連結商品としている。
【００１７】
上記構成によれば、複数の商品はそれぞれタブの一端が貼着されて連結商品として包装材に収容されているので、包装体を開いてタブを連結商品から切り離すと１個の商品を取り出すことができる。商品にはタブが貼着した状態になっているので、タブを摘むことにより指先でも取り扱い難い小型商品であっても容易に保持することができる。また、複数の商品を一体に連結して包装体に収容しているので、小型商品を紛失したり取り扱いが困難になることがない。
【００１８】
更に、商品を使用した後、タブの先端部は商品を貼着するための粘着性を維持しており、この部位を包装体の一部に再度、貼着することで、使用後のタブを商品包装体にて収容、或いは保持することができ、使用者がタブの後処理に煩わされるのを低減でき、特に携帯使用時におけるタブの投棄を抑制できる効果も奏する。
【００１９】
更に、上記構成において、複数のタブを切取線を介して形成したタブ形成面が包装体の所定面の端辺にヒンジ部を介して延出形成し、ヒンジ部から所定面上に折り返して構成することにより、包装体をシート材から形成する際に複数のタブが形成され、各タブの先端に小型商品を貼着すると、包装体と一体に連結小型商品を構成することができ、タブを切取線から切り離すと小型商品を取り出すことができる。
【００２０】
また、タブ形成面を複数に形成することにより、より多くの商品を包装体に組み込むことができる。
【００２１】
【発明の実施の形態】
以下、添付図面を参照して本発明の実施形態について説明し、本発明の理解に供する。尚、以下に示す実施形態は本発明を具体化した一例であり、商品包装体に収容される商品としてボタン形電池を例示している。従って、本実施形態における開示は、本発明の技術的範囲を限定するものではない。
【００２２】
図１は、第１の実施形態に係る商品包装体１の構成を示すもので、ポリエチレンテレフタレート（以下、ＰＥＴ）の透明シート材により本体１２及び蓋体１３を形成した包装体１１内に、複数（ここでは６個）のボタン形電池（小型商品）７をタブ８を設けた保持片９によって一体化した電池連結体１０を収容している。この電池連結体１０は、樹脂シートを加熱成形（真空成形及び／又は圧空成形）加工して、タブ８および保持片９を一体化した状態に形成し、隣接するタブの間を切断するように打ち抜き加工を施すと共に、タブ８と保持片９との間にミシン目を設けるように加工することでタブ８が保持片か９から容易に切り離されるようにしており、これらの加工により商品保持部材が形成される。そして、形成された商品保持部材の先端部に電池７を配置することで、電池連結体１０としている。
【００２３】
前記包装体１１は、ＰＥＴのシート材を加熱成形（真空成形及び／又は圧空成形）加工して、電池連結体１０を収容する本体凹部１４、蓋体凹部１５及び嵌合凸部１８を形成すると共に、プレス加工により吊り下げ穴１６や蓋体１３を本体１２上に折り曲げるヒンジとなるミシン目を設けた折曲線１７を形成し、蓋体１３に嵌合片１９を設けた外形を形成したものである。
【００２４】
また、前記電池連結体１０は、図３に示すように、ＰＥＴシート材を分離線６により分割して複数のボタン形電池７それぞれに対応するタブ８を形成し、各タブ８はミシン目を設けた切取線１９で保持片９に接続し、各タブ８の先端部にそれぞれボタン形電池７を貼着したものである。タブ８のボタン形電池７への貼着は、ボタン形電池７の平滑面に対して剥離可能な粘着によってなされるようにするのが好ましい。
【００２５】
上記電池連結体１０を包装体１１の本体凹部１４又は蓋体凹部１５に収容し、折曲線１７から折り曲げて本体１２上を蓋体１３によって閉じると、蓋体１３に形成された嵌合片１９が本体１２に形成された一対の嵌合凸部１８の間に嵌まり合い、図２に示すように、本体１２と蓋体１３とが嵌合した状態となる。この嵌合状態で吊り下げ穴１６により吊り下げ販売の用に供することができ、これを購入したユーザは６個のボタン形電池７を携帯し、保管することができる。
【００２６】
ボタン形電池７は、保持片９から一片のタブ８を切取線１９から切り離すと、タブ８の先端にボタン形電池７が貼着された状態になるので、ボタン形電池７が小型化されたものであっても、タブ８を摘んで保持することができ、そのまま機器の電池収容部のボタン形電池７を収め、タブ８の貼着を剥がすとボタン形電池７を機器に装填することがきる。
【００２７】
図４は、第２の実施形態に係る商品包装体２の構成を示すもので、ＰＥＴのシート材によって形成された包装材２１に６個のボタン形電池７を収容し、販売あるいは携帯、保管の用に供することができるよう構成している。
【００２８】
前記包装材２１は、図５に展開状態にして示すように、ＰＥＴシート材を加熱成形加工及びプレス加工して、電池収容凹部２５を形成した本体面２２と、蓋体面２３と、ボタン形電池７に貼着するタブ２８を形成したタブ形成面２４と、蓋体面２３を本体面２２上に閉じた状態に固定するための閉じ面２６とが形成され、各面の間はヒンジとなるミシン目を形成した折曲線２７ａ，２７ｂ，２７ｃによって接続されている。前記本体面２２と蓋体面２３とには、それらを重ね合わせたときに一致するように吊り下げ穴４３ａ，４３ｂが形成されている。また、タブ形成面２４は、本体面２２に折曲線２７ｃで接続された保持片３０に６個のボタン形電池７それぞれに対応させて分離線２９で分離させた６片のタブ２８が形成されている。
【００２９】
６個のボタン形電池７は、各タブ２８の先端に貼着される。ここではボタン形電池７は、図６に示すように、連接テープ５によりタブ２８に貼着されている。連接テープ５は、電池貼着面５ａがボタン形電池７に貼着され、電池貼着面５ａから延出形成されて電池貼着面５ａ上に折り返された折り返し面５ｂがタブ２８の先端に貼着されている。この連接テープ５によりタブ２８にボタン形電池７が貼着されていることにより、タブ２８を摘んでボタン形電池７を保持し、ボタン形電池７を機器の電池収容部に収容した後、タブ２８を前記折り返し面５ｂの折り返し方向に引くと、ボタン形電池７から電池貼着面５ａの剥離が容易になされ、タブ２８からボタン形電池７を剥離する際に、機器の電池収容部に収容したボタン形電池７を引き出してしまうことがない。
【００３０】
６片のタブ２８の先端に連接テープ５を介して貼着された６個のボタン形電池７は、タブ形成面２４が折曲線２７ｃから本体面２２上に折り曲げられることにより、本体面２２に形成された電池収容凹部２５内に収容される。タブ形成面２４が折り曲げられた本体面２２上に折曲線２７ａから蓋体面２３を折り曲げて本体面２２上を被覆し、蓋体面２３に形成された２ヵ所の嵌合凸部４１、４１を本体面２２に形成された２ヵ所の嵌合凹部４２、４２を嵌入させると、本体面２２上を蓋体面２３で閉じた状態が得られる。販売時には、蓋体面２３に折曲線２７ｂを介して形成された閉じ面２６を本体面２２の背面にテープ止めすると、蓋体面２３を閉じた状態が固定されるので、吊り下げ穴４３ａ，４３ｂで吊り下げ陳列することができる。
【００３１】
上記商品包装体２を購入したユーザは、閉じ面２６のテープ止めを剥がし、嵌合凸部４１と嵌合凹部４２との間の嵌合を解除することにより蓋体面２３を開いてボタン形電池７を取り出すことができる。図４に示すように、各タブ２８は分離線２９で個々に隣り合う間が切り離されており、分離線２９は指掛け用の凹部が形成されているので、指掛け凹部に指先をあてて任意のタブ２８を引き上げることができ、タブ２８を切取線４４で保持片３０から切り離すとボタン形電池７を取り出すことができる。ボタン形電池７が指先での取り扱いも困難なほど小型化されたものであっても、タブ２８を摘んで保持することができ、ボタン形電池７を機器の電池収容部に収めた後、タブ２８を連接テープ５の折り返し方向に引くと、前述したように連接テープ５がボタン形電池７から容易に剥離される。
【００３２】
図７は、第３の実施形態に係る商品包装体３の構成を示すもので、包装体３１に１２個のボタン形電池７を１パッケージに包装できるように構成されている。
【００３３】
前記包装体３１は、図８に示すように、ＰＥＴのシート材を加熱成形加工及びプレス加工して、本体面３２、蓋体面３３、第１タブ形成面３４、第２タブ形成面３５を形成している。本体面３２には２列に１２個のボタン形電池７を収容する電池収容凹部３６が形成され、第１のタブ形成面３４に形成された６片のタブ４０それぞれの先端に連接テープ５を介して貼着されたボタン形電池７と、第２のタブ形成面３５に形成された６片のタブ４０それぞれの先端に連接テープ５を介して貼着されたボタン形電池７とが収容される。
【００３４】
図７に示すように、第１のタブ形成面３４を折曲線４７ｂから本体面３２上に折り曲げ、第２のタブ形成面３５を折曲線４７ｃから蓋体面３３上に折り曲げ、蓋体面３３を折曲線４７ａから本体面３２上に折り曲げ、蓋体面３３に形成された２ヵ所の嵌合凸部３８、３８に本体面３２に形成された２ヵ所の嵌合凹部３７、３７を嵌入させることにより、図９に示すように、１２個のボタン形電池７を包装体３１内に収容することができる。
【００３５】
ボタン形電池７を取り出すときには、嵌合凹部３７と嵌合凸部３８との間の嵌合を解除して、図７に示すように蓋体面３３を開き、任意のタブ４０を切取線５０から切り離すと、タブ４０の先端に連接テープ５を介してボタン形電池７が貼着された状態で取り出すことができる。ボタン形電池７が指先でも取り扱いし難いほどに小型化されたものであっても、タブ４０を摘んでボタン形電池７を保持することができるので、そのまま機器の電池収容部にボタン形電池７を収容し、タブ４０を引くとボタン形電池７から連接テープ５を剥離することができる。
【００３６】
以上説明した第１〜第３の各実施形態における商品包装体１、２、３は、複数のボタン形電池７を包装した例を示したが、小型商品はボタン形電池７に限定されるものではなく、指先での取り扱いが困難なほどに小型化されたもの、例えば、釣り針や各種裁縫用の針、さらにはネジや釘を対象とする場合でもよい。さらに菓子や調味料等の食品、薬剤であっても、これらをタブに保持することで本実施形態と同様の効果を得ることができる。また、手先の動きや視力が低下した高齢者や障害者でも取り扱いを容易にする場合にも適用することができる。
【００３７】
【発明の効果】
以上の説明の通り本発明に係る商品包装体によれば、指先での取り扱いが困難な商品を複数個収容して、取り扱いやすい状態にして１個ずつ取り出すことができるので、指先の動きが低下した高齢者や障害者でも小型商品の取り扱いが容易となる。
【図面の簡単な説明】
【図１】第１の実施形態に係る商品包装体の構成を示す平面図。
【図２】同上商品包装体の斜視図。
【図３】同上構成における電池連結体の構成を示す平面図。
【図４】第２の実施形態に係る商品包装体の構成を示す斜視図。
【図５】同上構成における包装体の構成を示す平面図。
【図６】同上構成における商品包装体の断面図。
【図７】第３の実施形態に係る商品包装体の構成を示す斜視図。
【図８】同上構成における包装体の構成を示す平面図。
【図９】同上構成における商品包装体の断面図。
【図１０】従来技術に係るボタン形電池の包装体の構成を示す斜視図。
【符号の説明】
１、２、３　商品包装体
５　連接テープ
７　ボタン形電池（小型商品）
８、２８、４０　タブ
１１、２１、３１　包装体
１２、２２、３２　本体面
１３、２３、３３　蓋体面
１４　本体凹部（商品収容凹部）
１５　蓋体凹部（商品収容凹部）
１７，２７ａ〜２７ｃ，４７ａ〜４７ｃ　折曲線（ヒンジ部）
１８　嵌合凸部
１９　嵌合片
２０、４４、５０　切取線
２４　タブ形成面
２５、３６　電池収容凹部（商品収容凹部）
３４　第１タブ形成面
３５　第２タブ形成面
３７、４２　嵌合凸部
３８、４１　嵌合凹部
【図１】
2004099122.tif 000003
【図２】
2004099122.tif 000004
【図３】
2004099122.tif 000005
【図４】
2004099122.tif 000006
【図５】
2004099122.tif 000007
【図６】
2004099122.tif 000008
【図７】
2004099122.tif 000009
【図８】
2004099122.tif 000010
【図９】
2004099122.tif 000011
【図１０】
2004099122.tif 000012